(57)【要約】【課題】開口部の横幅に対応する部分をあらかじめカットしたログ材を積み上げてログ壁を構築する場合に、開口部の周縁部でログ壁に反りや歪みが生じないようにする。【解決手段】開口部９０の横幅に対応する部分をあらかじめカットしたログ材３０を開口部９０の下端に対応する位置から所定の高さまで積み上げ、その後に、開口部９０の横幅に対応する部分をカットしておらず、開口部９０となる位置を横切る長尺ログ材４０を少なくとも１段積み上げ、その後に、開口部９０の横幅に対応する部分をあらかじめカットしたログ材３０を開口部９０の上端に相当する位置まで積み上げ、その後に、開口部９０より上側を通るログ材３０を少なくとも１段積み上げてログ壁８０を構築し、その後に、長尺ログ材４０における開口部９０の横幅に対応する部分をカットして開口部９０を形成する。【選択図】図３
2017040129.tif 000002
【特許請求の範囲】
【請求項１】
丸太組構法によって構築されるログ壁を有するログハウスの施工方法であって、
前記ログ壁に開口部を形成する場合において、
前記開口部の横幅に対応する部分をあらかじめカットしたログ材を前記開口部の下端に対応する位置から所定の高さまで積み上げ、
その後に、前記開口部の横幅に対応する部分をカットしておらず、前記開口部となる位置を横切る長尺ログ材を少なくとも１段積み上げ、
その後に、前記開口部の横幅に対応する部分をあらかじめカットしたログ材を前記開口部の上端に対応する位置まで積み上げ、
その後に、前記開口部より上側を通るログ材を少なくとも１段積み上げて前記ログ壁を構築し、
その後に、前記長尺ログ材における前記開口部の横幅に対応する部分をカットして、前記開口部を形成する
ことを特徴とするログハウスの施工方法。
【請求項２】
丸太組構法によって構築されるログ壁を有するログハウスの施工方法であって、
前記ログ壁に開口部を形成する場合において、
前記開口部の横幅に対応する部分をあらかじめカットしたログ材を前記開口部の下端に対応する位置から所定の高さまで積み上げ、
その後に、前記開口部の横幅に対応する部分をカットしておらず、前記開口部となる位置を横切り、前記開口部となる位置の範囲内に設けた継ぎ手によって接合された長尺ログ材を少なくとも１段積み上げ、
その後に、前記開口部の横幅に対応する部分をあらかじめカットしたログ材を前記開口部の上端に対応する位置まで積み上げ、
その後に、前記開口部より上側を通るログ材を少なくとも１段積み上げて前記ログ壁を構築し、
その後に、前記長尺ログ材における前記開口部の横幅に対応する部分をカットして、前記開口部を形成する
ことを特徴とするログハウスの施工方法。
【請求項３】
丸太組構法によって構築されるログ壁を有するログハウスの施工方法であって、
前記ログ壁における同一の面に複数の開口部を形成する場合において、
各前記開口部の横幅に対応する部分をあらかじめカットしたログ材を各前記開口部の下端に対応する位置から所定の高さまで積み上げ、
その後に、各前記開口部の横幅に対応する部分をカットしておらず、各前記開口部となる位置をそれぞれ横切る長尺ログ材を少なくとも１段積み上げ、
その後に、各前記開口部の横幅に対応する部分をあらかじめカットしたログ材を各前記開口部の上端に対応する位置まで積み上げ、
その後に、各前記開口部より上側を通るログ材を少なくとも１段積み上げて前記ログ壁を構築し、
その後に、前記長尺ログ材における各前記開口部の横幅に対応する部分をそれぞれカットして、各前記開口部をそれぞれ形成する
ことを特徴とするログハウスの施工方法。
【請求項４】
丸太組構法によって構築されるログ壁を有するログハウスの施工方法であって、
前記ログ壁における同一の面に複数の開口部を形成する場合において、
各前記開口部の横幅に対応する部分をあらかじめカットしたログ材を各前記開口部の下端に対応する位置から所定の高さまで積み上げ、
その後に、各前記開口部の横幅に対応する部分をカットしておらず、各前記開口部となる位置をそれぞれ横切り、各前記開口部となる位置のうち少なくとも一つの範囲内に設けた継ぎ手によって接合された長尺ログ材を少なくとも１段積み上げ、
その後に、各前記開口部の横幅に対応する部分をあらかじめカットしたログ材を各前記開口部の上端に対応する位置まで積み上げ、
その後に、各前記開口部より上側を通るログ材を少なくとも１段積み上げて前記ログ壁を構築し、
その後に、前記長尺ログ材における各前記開口部の横幅に対応する部分をそれぞれカットして、各前記開口部をそれぞれ形成する
ことを特徴とするログハウスの施工方法。
【請求項５】
前記開口部の内周面に、前記開口部の上部から下部まで至る縦溝を形成する場合において、
前記長尺ログ材における前記縦溝に相当する位置に、前記長尺ログ材を上下に貫通するとともに前記縦溝の幅に対応する内径を有する貫通孔をあらかじめ設けておき、
前記長尺ログ材における前記開口部の横幅に対応する部分をカットした後に、前記長尺ログ材における前記開口部の内周面を構成する面と、前記貫通孔とを連通させることで、前記長尺ログ材における前記開口部の内周面を構成する面に、前記縦溝を形成する
ことを特徴とする請求項１、２、３、又は４に記載のログハウスの施工方法。
【発明の詳細な説明】
【技術分野】
【０００１】
本発明は、ログ壁に開口部を有するログハウスの施工方法に関する。
【背景技術】
【０００２】
従来より、ログ壁に開口部を形成し、この開口部に扉や窓などの建具を設けたログハウスが知られている（たとえば、特許文献１参照）。
【先行技術文献】
【特許文献】
【０００３】
【特許文献１】特開２０１１−１３２６９３号公報
【発明の概要】
【発明が解決しようとする課題】
【０００４】
ここで、開口部の横幅に対応する部分をあらかじめカットしたログ材を積み上げることで、開口部を有するログ壁を構築することが考えられる。
しかし、この場合、開口部の周縁部においてログ材がまっすぐに積み上がらずに、ログ壁に反りや歪みが生じてしまうことがある。
【０００５】
特に、開口部の横幅に対応する部分をあらかじめカットしたログ材を積み上げることで、同一の面に複数の開口部を有するログ壁を構築しようとすると、ログ壁における開口部と開口部との間に相当する部分に、大きな反りや歪みが生じてしまうことがある。
したがって、本発明が解決しようとする課題は、開口部の横幅に対応する部分をあらかじめカットしたログ材を積み上げることで、開口部を有するログ壁を構築する場合に、開口部の周縁部においてログ壁に反りや歪みが生じないようにすることである。
【課題を解決するための手段】
【０００６】
（請求項１）
請求項１記載の発明は、
丸太組構法によって構築されるログ壁（８０）を有するログハウスの施工方法であって、
前記ログ壁（８０）に開口部（９０）を形成する場合において、
前記開口部（９０）の横幅に対応する部分をあらかじめカットしたログ材（３０）を前記開口部（９０）の下端に対応する位置から所定の高さ（長尺ログ材４０が開口部９０における上下のほぼ中間位置を横切ることとなる高さ）まで積み上げ、
その後に、前記開口部（９０）の横幅に対応する部分をカットしておらず、前記開口部（９０）となる位置を横切る長尺ログ材（４０）を少なくとも１段積み上げ、
その後に、前記開口部（９０）の横幅に対応する部分をあらかじめカットしたログ材（３０）を前記開口部（９０）の上端に対応する位置まで積み上げ、
その後に、前記開口部（９０）より上側を通るログ材（３０）を少なくとも１段積み上げて前記ログ壁（８０）を構築し、
その後に、前記長尺ログ材（４０）における前記開口部（９０）の横幅に対応する部分をカットして、前記開口部（９０）を形成する
ことを特徴とする。
【０００７】
（請求項２）
請求項２記載の発明は、
丸太組構法によって構築されるログ壁（８０）を有するログハウスの施工方法であって、
前記ログ壁（８０）に開口部（９０）を形成する場合において、
前記開口部（９０）の横幅に対応する部分をあらかじめカットしたログ材（３０）を前記開口部（９０）の下端に対応する位置から所定の高さ（長尺ログ材４０が開口部９０における上下のほぼ中間位置を横切ることとなる高さ）まで積み上げ、
その後に、前記開口部（９０）の横幅に対応する部分をカットしておらず、前記開口部（９０）となる位置を横切り、前記開口部（９０）となる位置の範囲内に設けた継ぎ手によって接合された長尺ログ材（４０）を少なくとも１段積み上げ、
その後に、前記開口部（９０）の横幅に対応する部分をあらかじめカットしたログ材（３０）を前記開口部（９０）の上端に対応する位置まで積み上げ、
その後に、前記開口部（９０）より上側を通るログ材（３０）を少なくとも１段積み上げて前記ログ壁（８０）を構築し、
その後に、前記長尺ログ材（４０）における前記開口部（９０）の横幅に対応する部分をカットして、前記開口部（９０）を形成する
ことを特徴とする。
【０００８】
（請求項３）
請求項３記載の発明は、
丸太組構法によって構築されるログ壁（８０）を有するログハウスの施工方法であって、
前記ログ壁（８０）における同一の面に複数の開口部（９０）を形成する場合において、
各前記開口部（９０）の横幅に対応する部分をあらかじめカットしたログ材（３０）を各前記開口部（９０）の下端に対応する位置から所定の高さ（長尺ログ材４０が開口部９０における上下のほぼ中間位置を横切ることとなる高さ）まで積み上げ、
その後に、各前記開口部（９０）の横幅に対応する部分をカットしておらず、各前記開口部（９０）となる位置をそれぞれ横切る長尺ログ材（４０）を少なくとも１段積み上げ、
その後に、各前記開口部（９０）の横幅に対応する部分をあらかじめカットしたログ材（３０）を各前記開口部（９０）の上端に対応する位置まで積み上げ、
その後に、各前記開口部（９０）より上側を通るログ材（３０）を少なくとも１段積み上げて前記ログ壁（８０）を構築し、
その後に、前記長尺ログ材（４０）における各前記開口部（９０）の横幅に対応する部分をそれぞれカットして、各前記開口部（９０）をそれぞれ形成する
ことを特徴とする。
【０００９】
（請求項４）
請求項４記載の発明は、
丸太組構法によって構築されるログ壁（８０）を有するログハウスの施工方法であって、
前記ログ壁（８０）における同一の面に複数の開口部（９０）を形成する場合において、
各前記開口部（９０）の横幅に対応する部分をあらかじめカットしたログ材（３０）を各前記開口部（９０）の下端に対応する位置から所定の高さ（長尺ログ材４０が開口部９０における上下のほぼ中間位置を横切ることとなる高さ）まで積み上げ、
その後に、各前記開口部（９０）の横幅に対応する部分をカットしておらず、各前記開口部（９０）となる位置をそれぞれ横切り、各前記開口部（９０）となる位置のうち少なくとも一つの範囲内に設けた継ぎ手によって接合された長尺ログ材（４０）を少なくとも１段積み上げ、
その後に、各前記開口部（９０）の横幅に対応する部分をあらかじめカットしたログ材（３０）を各前記開口部（９０）の上端に対応する位置まで積み上げ、
その後に、各前記開口部（９０）より上側を通るログ材（３０）を少なくとも１段積み上げて前記ログ壁（８０）を構築し、
その後に、前記長尺ログ材（４０）における各前記開口部（９０）の横幅に対応する部分をそれぞれカットして、各前記開口部（９０）をそれぞれ形成する
ことを特徴とする。
【００１０】
（請求項５）
請求項５記載の発明は、請求項１、２、３、又は４記載のログハウスの施工方法において、
前記開口部（９０）の内周面に、前記開口部（９０）の上部から下部まで至る縦溝（３３）を形成する場合において、
前記長尺ログ材（４０）における前記縦溝（３３）に相当する位置に、前記長尺ログ材（４０）を上下に貫通するとともに前記縦溝（３３）の幅に対応する内径を有する貫通孔（４１）をあらかじめ設けておき、
前記長尺ログ材（４０）における前記開口部（９０）の横幅に対応する部分をカットした後に、前記長尺ログ材（４０）における前記開口部（９０）の内周面を構成する面と、前記貫通孔（４１）とを連通させることで、前記長尺ログ材（４０）における前記開口部（９０）の内周面を構成する面に、前記縦溝（３３）を形成する
ことを特徴とする。
【発明の効果】
【００１１】
本発明によれば、開口部の横幅に対応する部分をカットしておらず、開口部となる位置を横切る長尺ログ材を積み上げてログ壁を構築し、その後に、長尺ログ材における開口部の横幅に対応する部分をカットして開口部を形成する。
このため、長尺ログ材の上下のログ材が、長尺ログ材によって位置決めされるので、開口部の周縁部においてログ壁に反りや歪みが生じないようにすることができる。
【図面の簡単な説明】
【００１２】
【図１】開口部の横幅に対応する部分をあらかじめカットしたログ材を所定の高さまで積み上げたところを示す要部斜視図である。
【図２】開口部の横幅に対応する部分をカットしておらず、開口部となる位置を横切る長尺ログ材を積み上げたところを示す要部斜視図である。
【図３】開口部の横幅に対応する部分をあらかじめカットしたログ材及び開口部より上側を通るログ材を積み上げてログ壁を構築したところを示す要部斜視図である。
【図４】長尺ログ材における開口部の横幅に対応する部分をカットしたところを示す要部斜視図である。
【図５】１段目のログ材における開口部の横幅に対応する部分をカットしたところを示す要部斜視図である。
【図６】２つの開口部の横幅に対応する部分をあらかじめカットしたログ材を所定の高さまで積み上げたところを示す要部斜視図である。
【図７】２つの開口部の横幅に対応する部分をカットしておらず、２つの開口部となる位置をそれぞれ横切る長尺ログ材を積み上げたところを示す要部斜視図である。
【図８】２つの開口部の横幅に対応する部分をあらかじめカットしたログ材及び開口部より上側を通るログ材を積み上げてログ壁を構築したところを示す要部斜視図である。
【図９】長尺ログ材における２つの開口部の横幅に対応する部分をそれぞれカットしたところを示す要部斜視図である。
【図１０】１段目のログ材における２つの開口部の横幅に対応する部分をそれぞれカットしたところを示す要部斜視図である。
【図１１】ログ材の積み上げ及び固定について説明する図である。
【図１２】ログ材の積み上げについて説明する図である。
【図１３】長尺ログ材に設けた貫通孔を示す図である。
【図１４】長尺ログ材のカットについて説明する図である。
【図１５】縦長部材、窓枠、幕板の取り付けについて説明する図である。
【発明を実施するための形態】
【００１３】
以下、図１〜図１５に基づいて、本発明の一実施形態について説明する。
ここで、丸太組構法とは、丸太、製材その他これに類する木材（以下「ログ材３０」という）を水平に積み上げることにより壁を構築する構法をいう（国土交通省告示第四百十一号）。
また、丸太組構法によって構築される壁は「ログ壁８０」と呼ばれ、ログハウスの構造躯体を構成する。
【００１４】
本実施形態では、断面がＤ字形のログ材３０を用い、凸曲面を室外側に向けるとともに平坦面を室内側に向けて積み上げることで、ログ壁８０を構築する。
なお、ログ材３０は、断面がＤ字形のものに限らず、たとえば、断面が円形のものを用いてもよく、また、断面が四角形のものを用いてもよい。
また、断面がＤ字形のログ材３０は「Ｄログ」などと呼ばれ、断面が円形のログ材３０は「丸ログ」などと呼ばれ、断面が四角形のログ材３０は「角ログ」などと呼ばれる。
【００１５】
また、ログ材３０の上面には、一方の端部から他方の端部まで至る２本の凸条が設けられている。この凸条は「さね３１」と呼ばれる。
さらに、ログ材３０の下面には、一方の端部から他方の端部まで至る２本の凹条が設けられている。この凹条は「さね溝３２」と呼ばれる。
そして、一のログ材３０の上に、一のログ材３０と平行に、他のログ材３０を積み重ねると、一のログ材３０の上面に設けた２本のさね３１と、他のログ材３０の下面に設けた２本のさね溝３２とが互いに嵌まり合う。
【００１６】
また、一のログ材３０における、他のログ材３０と交差する部分には、上下左右から切り欠かれた凹部が形成される。この凹部は「ノッチ」と呼ばれる。
他のログ材３０についても同様に、一のログ材３０と交差する部分には、上下左右から切り欠かれた凹部（ノッチ）が形成される。
そして、一のログ材３０の上に、一のログ材３０と直交するように、他のログ材３０を積み重ねると、一のログ材３０のノッチの上側部分と、他のログ材３０のノッチの下側部分とが互いに嵌まり合う。
【００１７】
図１〜図５は、ログ壁８０に１つの開口部９０を形成する場合を例に、ログハウスの施工方法について説明する図である。
図１に示すように、開口部９０の横幅に対応する部分をあらかじめカットしたログ材３０を、開口部９０の下端に対応する位置から所定の高さまで積み上げ、その後に、図２に示すように、開口部９０の横幅に対応する部分をカットしておらず、開口部９０となる位置を横切る長尺ログ材４０を積み上げ、その後に、図３に示すように、開口部９０の横幅に対応する部分をあらかじめカットしたログ材３０を、開口部９０の上端に対応する位置まで積み上げるとともに、開口部９０より上側を通るログ材３０を積み上げてログ壁８０を構築し、その後に、図４に示すように、長尺ログ材４０における開口部９０の横幅に対応する部分をカットして開口部９０を形成する。
【００１８】
図１は、土台２０の上に、１段目から４段目までのログ材３０を積み上げたところを示している。
１段目のログ材３０は、開口部９０の横幅に対応する部分をカットしておらず、開口部９０となる位置を横切る長尺のログ材３０である。
また、１段目のログ材３０は、ログ壁８０の左端から右端まで至り、その両端付近にはそれぞれノッチが設けられている。この１段目のログ材３０のノッチは、１段目のログ材３０と交差するログ材３０のノッチと嵌まり合う。
【００１９】
さらに、１段目のログ材３０の上面には、２本のさね３１が設けられている。この１段目のログ材３０のさね３１は、２段目のログ材３０のさね溝３２と嵌まり合う。
また、１段目のログ材３０には、開口部９０の横幅に対応する部分の凸曲面側に、平面部４２が設けられている。この１段目のログ材３０の平面部４２は、切欠部３４を形成するためのものである。この点については後述する。
【００２０】
２段目から４段目までのログ材３０は、開口部９０の横幅に対応する部分をあらかじめカットしたログ材３０である。
また、２段目のログ材３０における開口部９０より左側の部分は、ログ壁８０の左端まで至り、その左端付近にはノッチが設けられている。
同様に、２段目のログ材３０における開口部９０より右側の部分は、ログ壁８０の右端まで至り、その右端付近にはノッチが設けられている。
そして、２段目のログ材３０のノッチは、２段目のログ材３０と交差するログ材３０のノッチと嵌まり合う。
【００２１】
また、２段目のログ材３０には、下面に２本のさね溝３２が設けられ、上面に２本のさね３１が設けられている。そして、２段目のログ材３０のさね溝３２は、１段目のログ材３０のさね３１と嵌まり合い、２段目のログ材３０のさね３１は、３段目のログ材３０のさね溝３２と嵌まり合う。
さらに、２段目のログ材３０には、開口部９０側の端面（開口部９０の内周面を構成する面）に、縦溝３３が設けられている。この縦溝３３は、開口部９０の内周面の上部から下部まで至るように形成されるものである。そして、この縦溝３３に縦長部材５０が嵌め込まれ、この縦長部材５０に窓枠５５が固定され、この窓枠５５に幕板６０が固定される。この点については後述する。
【００２２】
また、２段目のログ材３０には、開口部９０側の端部付近の凸曲面側に、切欠部３４が設けられている。この切欠部３４は、開口部９０の周縁部の上部から下部まで至るように形成されるものである。そして、この切欠部３４に幕板６０が収まる。この点については後述する。
３段目及び４段目のログ材３０についても、２段目のログ材３０と同様である。
【００２３】
図２は、４段目のログ材３０の上に、５段目のログ材３０（長尺ログ材４０）を積み上げたところを示している。
５段目のログ材３０（長尺ログ材４０）は、１段目のログ材３０と同様に、開口部９０の横幅に対応する部分をカットしておらず、開口部９０となる位置を横切る長尺のログ材３０である。
また、５段目のログ材３０（長尺ログ材４０）は、１段目のログ材３０と同様に、ログ壁８０の左端から右端まで至り、その両端付近にはそれぞれノッチが設けられている。この５段目のログ材３０のノッチは、５段目のログ材３０と交差するログ材３０のノッチと嵌まり合う。
【００２４】
さらに、５段目のログ材３０（長尺ログ材４０）には、下面に２本のさね溝３２が設けられ、上面に２本のさね３１が設けられている。そして、５段目のログ材３０のさね溝３２は、４段目のログ材３０のさね３１と嵌まり合い、５段目のログ材３０のさね３１は、６段目のログ材３０のさね溝３２と嵌まり合う。
また、５段目のログ材３０（長尺ログ材４０）には、１段目のログ材３０と同様に、開口部９０の横幅に対応する部分の凸曲面側に、平面部４２が設けられている。この５段目のログ材３０の平面部４２は、１段目のログ材３０の平面部４２と同様に、切欠部３４を形成するためのものである。
【００２５】
図３は、５段目のログ材３０（長尺ログ材４０）の上に、６段目から９段目までのログ材３０を積み上げたところを示している。
図３に示すように、開口部９０の横幅に対応する部分をあらかじめカットしたログ材３０を、開口部９０の上端に対応する位置まで積み上げるとともに、開口部９０より上側を通るログ材３０を積み上げる。このようにして、ログ壁８０を構築する。
なお、９段目のログ材３０より上の構造物については、図示を省略している。
６段目から８段目までのログ材３０は、開口部９０の横幅に対応する部分をあらかじめカットしたログ材３０であり、上述した２段目のログ材３０と同様である。
【００２６】
９段目のログ材３０は、開口部９０より上側を通るものであり、１段目及び５段目のログ材３０と同様に、ログ壁８０の左端から右端まで至り、その両端付近にはそれぞれノッチが設けられている。この９段目のログ材３０のノッチは、９段目のログ材３０と交差するログ材３０のノッチと嵌まり合う。
また、９段目のログ材３０には、下面に２本のさね溝３２が設けられ、上面に２本のさね３１が設けられている。そして、９段目のログ材３０のさね溝３２は、８段目のログ材３０のさね３１と嵌まり合い、９段目のログ材３０のさね３１は、図示を省略した１０段目のログ材３０のさね溝３２と嵌まり合う。
【００２７】
さらに、９段目のログ材３０には、開口部９０の上方に相当する位置の凸曲面側に、平面部４２が設けられている。この９段目のログ材３０の平面部４２は、１段目及び５段目のログ材３０の平面部４２とは異なり、幕板６０を取り付けるためのものである。
なお、本実施形態では、１段目から８段目までのログ材３０をカットしてログ壁８０に開口部９０を形成し、９段目のログ材３０はカットしない。
【００２８】
また、本実施形態では、２段目から４段目までのログ材３０、及び６段目から８段目までのログ材３０は、開口部９０の横幅に対応する部分をあらかじめカットしたものである。そして、５段目のログ材３０が、開口部９０の横幅に対応する部分をカットしておらず、開口部９０となる位置を横切る長尺ログ材４０とされる。すなわち、長尺ログ材４０は、開口部９０における上下のほぼ中間位置を横切るように配置される。
【００２９】
図４は、５段目のログ材３０（長尺ログ材４０）における開口部９０の横幅に対応する部分をカットしたところを示している。
また、５段目のログ材３０（長尺ログ材４０）における、開口部９０側の端面（開口部９０の内周面を構成する面）には、縦溝３３が設けられ、開口部９０側の端部付近の凸曲面側には、切欠部３４が設けられている。これらについては後述する。
【００３０】
図５は、１段目のログ材３０における開口部９０の横幅に対応する部分をカットしたところを示している。
１段目のログ材３０における、開口部９０側の端面（開口部９０の内周面を構成する面）には、縦溝３３が設けられ、開口部９０側の端部付近の凸曲面側には、切欠部３４が設けられている点については、５段目のログ材３０（長尺ログ材４０）と同様である。
【００３１】
このように、本実施形態では、開口部９０の横幅に対応する部分をカットしておらず、開口部９０となる位置を横切る長尺ログ材４０を積み上げてログ壁８０を構築し、その後に、長尺ログ材４０における開口部９０の横幅に対応する部分をカットして開口部９０を形成する。
これにより、長尺ログ材４０の上下のログ材３０が、長尺ログ材４０によって位置決めされるので、開口部９０の周縁部においてログ壁８０に反りや歪みが生じないようにすることができる。
【００３２】
図６〜図１０は、ログ壁８０に２つの開口部９０を横並びに形成する場合を例に、ログハウスの施工方法について説明する図である。
図６に示すように、各開口部９０の横幅に対応する部分をあらかじめカットしたログ材３０を、開口部９０の下端に対応する位置から所定の高さまで積み上げ、その後に、図７に示すように、各開口部９０の横幅に対応する部分をカットしておらず、各開口部９０となる位置をそれぞれ横切る長尺ログ材４０を積み上げ、その後に、図８に示すように、各開口部９０の横幅に対応する部分をあらかじめカットしたログ材３０を、開口部９０の上端に対応する位置まで積み上げるとともに、開口部９０より上側を通るログ材３０を積み上げてログ壁８０を構築し、その後に、図９に示すように、長尺ログ材４０における各開口部９０の横幅に対応する部分をそれぞれカットして各開口部９０をそれぞれ形成する。
【００３３】
図６は、土台２０の上に、１段目から４段目までのログ材３０を積み上げたところを示し、図７は、４段目のログ材３０の上に、５段目のログ材３０（長尺ログ材４０）を積み上げたところを示し、図８は、５段目のログ材３０（長尺ログ材４０）の上に、６段目から９段目までのログ材３０を積み上げたところを示し、図９は、５段目のログ材３０（長尺ログ材４０）における各開口部９０の横幅に対応する部分をそれぞれカットしたところを示し、図１０は、１段目のログ材３０における各開口部９０の横幅に対応する部分をそれぞれカットしたところを示している。
【００３４】
また、図６〜図１０では、ログ壁８０に２つの開口部９０を横並びに設け、各開口部９０にそれぞれ対応して、縦溝３３、切欠部３４、及び平面部４２を設けている。
さらに、図６〜図１０では、２つの開口部９０の間に位置するログ材３０には、他のログ材３０が交差することはなく、したがって、ノッチは設けられていない。
上記以外の点については、図６〜図１０に示す１段目から９段目までの各ログ材３０における各部の形状及び構造は、図１〜図５と同様である。
【００３５】
このように、図６〜図１０では、２つの開口部９０の間に、他のログ材３０と交差しないログ材３０を積み上げることになるが、２つの開口部９０をそれぞれ横切る長尺ログ材４０を５段目に積み上げることにより、２つの開口部９０の間に位置するログ材３０が位置決めされる。したがって、２つの開口部９０の間において、ログ壁８０に反りや歪みが生じないようにすることができる。
【００３６】
図１１は、ログ材３０の積み上げ及び固定について説明する図である。
図１１に示すように、土台２０は、基礎１０にアンカーボルト１５で固定する。また、１段目のログ材３０は、土台２０にコーチボルト７０で固定する。また、２段目のログ材３０は、１段目のログ材３０にコーチボルト７０で固定する。また、３段目以上のログ材３０についても、２段目のログ材３０と同様に、下側のログ材３０にコーチボルト７０で固定する。
【００３７】
図１２は、ログ材３０の積み上げについて説明する図である。
図１２に示すように、１段目のログ材３０は、ログ壁８０の左端から右端まで至り、その両端付近にはそれぞれノッチが設けられている。そして、１段目のログ材３０のノッチは、１段目のログ材３０と交差するログ材３０のノッチと嵌まり合う。
５段目及び９段目のログ材３０についても、１段目のログ材３０と同様である。
【００３８】
図１２に示すように、２段目のログ材３０における開口部９０より左側の部分は、ログ壁８０の左端まで至り、その左端付近にはノッチが設けられている。
同様に、２段目のログ材３０における開口部９０より右側の部分は、ログ壁８０の右端まで至り、その右端付近にはノッチが設けられている。
そして、２段目のログ材３０のノッチは、２段目のログ材３０と交差するログ材３０のノッチと嵌まり合う。
３段目、４段目、及び６段目から８段目までのログ材３０についても、２段目のログ材３０と同様である。
【００３９】
図１３は、長尺ログ材４０に設けた貫通孔４１を示す図である。
図１３に示すように、５段目のログ材３０（長尺ログ材４０）には、上下に貫通する円形の貫通孔４１が設けられている。この貫通孔４１は、縦溝３３に相当する位置に設けられ、縦溝３３の幅に対応する内径を有するものである。
１段目のログ材３０についても、５段目のログ材３０と同様に、縦溝３３に相当する位置に、縦溝３３の幅に対応する内径を有する貫通孔４１を設ける。
なお、９段目のログ材３０については、開口部９０の横幅に対応する部分をカットすることはなく、縦溝３３を設けることもないので、貫通孔４１は設けない。
【００４０】
図１４は、長尺ログ材４０のカットについて説明する図である。
図１４（ａ）は、５段目のログ材３０（長尺ログ材４０）を示している。この５段目のログ材３０には、２つの貫通孔４１が設けられているとともに、凸曲面側には平面部４２が設けられている。
図１４（ｂ）に示すように、矢印の位置で、５段目のログ材３０をカットする。これにより、図１４（ｃ）に示すように、５段目のログ材３０における、開口部９０の横幅に対応する部分をカットする。また、図１４（ｃ）に示すように、平面部４２における、カットされずに残った部分が、切欠部３４となる。
【００４１】
図１４（ｃ）に示すように、矢印の位置で、５段目のログ材３０における、開口部９０の内周面を構成する面をカットする。これにより、開口部９０の内周面を構成する面と、貫通孔４１とを連通させて、図１４（ｄ）に示すように、開口部９０の内周面を構成する面に、縦溝３３を形成する。
１段目のログ材３０についても、５段目のログ材３０と同様に、開口部９０の横幅に対応する部分をカットし、その後、開口部９０の内周面を構成する面に、縦溝３３を形成する。
【００４２】
図１５は、縦長部材５０、窓枠５５、及び幕板６０の取り付けについて説明する図である。
図１５（ａ）は、ログ材３０の開口部９０側の端部付近を示している。
図１５（ｂ）に示すように、縦溝３３に、縦長部材５０を嵌め込む。
縦溝３３は、開口部９０の内周面の上部から下部まで形成される溝であり、縦長部材５０は、開口部９０の上部から下部まで至る長さの四角棒状の部材である。
また、縦長部材５０は、縦溝３３に嵌め込まれるだけであり、縦溝３３に沿って上下に移動可能とされる。
【００４３】
図１５（ｃ）に示すように、縦長部材５０に、窓枠５５を固定する。
窓枠５５は、開口部９０の上部から下部まで至る長さの四角板状の部材である。
また、窓枠５５と縦長部材５０との固定には、図１５（ｃ）に示すように、たとえば、釘７５を用いることができる。
さらに、窓枠５５は、縦長部材５０には固定するが、ログ材３０には固定しない。このため、窓枠５５は、縦長部材５０とともに、縦溝３３に沿って上下に移動可能とされる。
そして、窓枠５５に、図示しない扉や窓などの建具を固定する。
【００４４】
図１５（ｄ）に示すように、窓枠５５の室外側（Ｄ字形のログ材３０の凸曲面側）及び室内側（Ｄ字形のログ材３０の平坦面側）に、それぞれ幕板６０を固定する。
幕板６０は、ログ材３０と窓枠５５との間の隙間を隠すためのものであり、開口部９０の上部から下部まで至る長さの四角板状の部材である。
【００４５】
図１５（ｄ）に示すように、ログ壁８０の室外側（Ｄ字形のログ材３０の凸曲面側）においては、幕板６０は、切欠部３４に収まる。
また、幕板６０と窓枠５５との固定には、図１５（ｄ）に示すように、たとえば、釘７５を用いることができる。
さらに、幕板６０は、窓枠５５には固定するが、ログ材３０には固定しない。このため、幕板６０は、窓枠５５及び縦長部材５０とともに、縦溝３３に沿って上下に移動可能とされる。
【００４６】
ここで、ログハウスでは、建築後に、ログ材３０の自重による圧縮と、ログ材３０の乾燥による収縮とによって、ログ壁８０全体の高さが次第に低くなる現象が生じる。この現象は「セトリング」と呼ばれる。
そこで、本実施形態では、開口部９０の内周面に縦溝３３を形成し、縦長部材５０及び窓枠５５を、縦溝３３に沿って上下に移動可能に取り付けることにより、セトリングによってログ壁８０全体の高さが低下しても、窓枠５５が変形しないようにし、ひいては扉や窓などの建具が変形しないようにしている。さらには、ログ壁８０に隙間が生じないようにしている。
【００４７】
なお、実施形態で示したログ材３０の段数（ログ壁８０の高さ）、開口部９０の大きさ、開口部９０の数などは、あくまでも例示であり、実施形態で示したものに限定されるものではない。
また、貫通孔４１は、円形に限らず、一辺の長さが縦溝３３の幅に応じた四角形としてもよい。
また、長尺ログ材４０は、ログ壁８０の左端（一方の端部）から右端（他方の端部）まで至る途中に継ぎ手を有するものを用いてもよい。この場合、開口部９０の横幅に対応する部分に、長尺ログ材４０の継ぎ手が位置するようにすることが好ましい。
【００４８】
すなわち、長尺ログ材４０における開口部９０の横幅に対応する部分（開口部９０となる位置の範囲内）に継ぎ手を設け、この継ぎ手で接合することが好ましい。
また、ログ壁８０における同一の面に複数の開口部９０を形成する場合にあっては、長尺ログ材４０における各開口部９０となる位置のうち少なくとも一つの範囲内に継ぎ手を設け、この継ぎ手で接合することが好ましい。
このように、長尺ログ材４０のカット予定部分に継ぎ手を設けて接合することで、長尺ログ材４０の運搬を容易にすることができ、長さが比較的短い木材の有効活用を図ることができ、ログ壁８０の外観や強度に悪影響を与えないようにすることができる。
【００４９】
また、実施形態では、１段目のログ材３０をカットしたが、たとえば、１段目のログ材３０はカットしなくてもよい。すなわち、実施形態では、１段目から８段目までのログ材３０に開口部９０を設けたが、たとえば、２段目から８段目までのログ材３０に開口部９０を設けてもよい。
また、１段目から８段目までのログ材３０に開口部９０を設ける場合には、開口部９０の下端は、１段目のログ材３０の下面の位置となり、開口部９０の上端は、８段目のログ材３０の上面の位置となる。
また、２段目から８段目までのログ材３０に開口部９０を設ける場合には、開口部９０の下端は、２段目のログ材３０の下面の位置となり、開口部９０の上端は、８段目のログ材３０の上面の位置となる。
【００５０】
また、実施形態では、５段目のログ材３０の１段のみを長尺ログ材４０としたが、長尺ログ材４０は１段に限られるものではない。たとえば、５段目及び６段目の２段のログ材３０を長尺ログ材４０としてもよい。すなわち、長尺ログ材４０は、少なくとも１段積み上げればよく、したがって、２段以上積み上げてもよい。
また、実施形態では、開口部９０より上側のログ材３０として、９段目のログ材３０の１段のみを示したが、開口部９０より上側のログ材３０は１段に限られるものではない。たとえば、開口部９０より上側のログ材３０として、９段目から１２段目までの４段のログ材３０を積み上げることができる。すなわち、開口部９０より上側のログ材３０は、少なくとも１段積み上げればよく、したがって、２段以上積み上げてもよい。
また、実施形態では、外壁としてのログ壁８０に開口部９０を設ける場合を例に示したが、これに限らず、たとえば、間仕切り壁としてのログ壁８０に開口部９０を設ける場合にも本発明を適用することができる。
【符号の説明】
【００５１】
１０  基礎
１５  アンカーボルト
２０  土台
３０  ログ材
３１  さね
３２  さね溝
３３  縦溝
３４  切欠部
４０  長尺ログ材
４１  貫通孔
４２  平面部
５０  縦長部材
５５  窓枠
６０  幕板
７０  コーチボルト
７５  釘
８０  ログ壁
９０  開口部
【図１】
2017040129.tif 000003
【図２】
2017040129.tif 000004
【図３】
2017040129.tif 000005
【図４】
2017040129.tif 000006
【図５】
2017040129.tif 000007
【図６】
2017040129.tif 000008
【図７】
2017040129.tif 000009
【図８】
2017040129.tif 000010
【図９】
2017040129.tif 000011
【図１０】
2017040129.tif 000012
【図１１】
2017040129.tif 000013
【図１２】
2017040129.tif 000014
【図１３】
2017040129.tif 000015
【図１４】
2017040129.tif 000016
【図１５】
2017040129.tif 000017